(57)【特許請求の範囲】
【請求項１】
横方向に引き込む扉、特に家具、に用いられる装置であって、少なくとも家具（Ｍ）の有効内部空間（Ｖ）の側壁と該家具の扉（Ａ）の間に用いられ、前記内部空間（Ｖ）の開放中に前記扉（Ａ）が横方向に引かれるようにした装置（１）において、
前記装置は、前記側壁と前記扉（Ａ）の縁との間に、前記扉（Ａ）がスライドして回転するように介在された垂直材（１０）と、
前記側壁の外面に水平に固定された長手方向ガイド（２０，２５）であって、前記垂直材（１０）が前記長手方向ガイド（２０、２５）にスライド自在に連結された上端（１０ａ）と下端（１０ｂ）を有し、前記装置（１）が前記家具（Ｍ）の一部に設けられたとき、前記家具（Ｍ）の一部の深さ内で前記垂直材（１０）がスライドするようにしたものと、
一対の揺動部材（６０）であって、各揺動部材は互いに連結されて一体化された一対の第１と第２のアーム（６１，６２）によって形成されており、前記第１のアーム（６１）は前記垂直材（１０）に垂直方向にスライド自在に連結されており、前記第２のアーム（６２）は荷重分配バー（６６）によって互いに連結されているものと、
前記一対の揺動部材（６０）のそれぞれに対して、前記側壁の前記外面に回転するように一体的に連結されている動作ピボット（６４）を有する装置。
【請求項２】
前記垂直材（１０）は、一つのプロフィールによって形成されている、請求項１の装置。
【請求項３】
前記垂直材（１０）は、細長い半円形の断面（１２）を有する長手方向のキャビティと内側の長手方向の溝（１２ａ）を備えた外側の長手方向に伸びる溝（１１）と、長手方向のプロフィール（１５）を収容するように構成されたＴ形の横方向肩部（１３）を有し、
前記扉（Ａ）を回転するように支持するためにヒンジ（９０）が設けられている、請求項２の装置。
【請求項４】
前記垂直材（１０）は、前記垂直材（１０）の前記上端と前記下端（１０ａ，１０ｂ）に固定された上部キャリッジ（３０）と下部キャリッジ（４０）を介して前記ガイド（２０，２５）に沿ってスライドできる、請求項３の装置。
【請求項５】
前記上部キャリッジ（３０）は一対の自由プーリ（３２，３３）を支持するプレート（３１）によって構成されており、
前記プレート（３１）は、少なくとも１つのコントラストプレート（３５）のねじ部にねじ込まれる一対のねじ（３４）が貫通するベースプレート（３１ｂ）を有するステム（３１ａ）が設けられ、前記垂直材（１０）の上端（１０ｂ）の部屋（１２ｂ）に収容され、前記垂直材（１０）の溝（１２ｂ）内でガイドされるように構成された肩部（３５ｂ）が設けられた、請求項４の装置。
【請求項６】
前記長手方向ガイド（２０，２５）は上部ガイド（２０）と下部ガイド（２５）を有し、
前記上部キャリッジ（３０）は、前記上部ガイド（２０）に設けられ、前記上部ガイド（２０）の前記レール（２１）に沿って前記プーリ（３２，３３）の溝を収容し、前記上部キャリッジ（３０）は前記上部ガイド（２０）の部屋（２２）に沿ってスライドすることができ、前記上部ガイド（２０）の直交する上部エッジ（２３）の存在によって横方向に抜けることが防止されている、請求項５の装置。
【請求項７】
前記下部キャリッジ（４０）は、一対の自由ローラ（４２，４３）を支持するプレート（４１）によって構成されており、
前記プレート（４１）は、前記垂直材（１０）の部屋（１２ｂ）に配置される直交ステム（４１ａ）が設けられ、少なくとも１つのねじ（４４）によって外部のコントラストプレート（４５）に連結されており、
前記コントラストプレート（４５）は、前記下部キャリッジ（４０）を前記垂直材（１０）の端部に固定するために、前記垂直材（１０）の外側長手方向溝（１１）に収容されている、請求項４の装置。
【請求項８】
前記長手方向ガイド（２０，２５）は上部ガイド（２０）と下部ガイド（２５）を有し、
前記下部キャリッジ（４０）は、前記下部ガイド（２５）に設けられ、前記部屋（Ｂ）内で移動する前記下部ガイド（２５）の前記ガイドシート（２７）に沿って前記キャリッジ（４０）のローラ（４２，４３）が収容される、請求項７の装置。
【請求項９】
前記垂直材（１０）の長手方向キャビティ（１２）は２つの中間キャリッジ（５０）の一対の環状自由ホイール（５２，５３）を収容しており、
前記ホイール（５２，５３）は前記垂直材（１０）の中間部分に挿入されており、
前記中間キャリッジ（５０）は、前記垂直材（１０）、及びヒンジされた扉（Ａ）を、前記一対の揺動部材（６０）の端部又はアーム（６１）に動的に連結する、請求項１又は２の装置。
【請求項１０】
前記中間キャリッジ（５０）は一対の自由ホイール（５２，５３）を支持するベースプレート（５１）によって構成されており、
コントラストプレート（５４）は前記ホイールによってガイドされ、一対の横方向ガイド（５１ａ，５１ｂ）によって、前記ベースプレート（５１）に一体化されたピンを収容するスロット（５５）によって制限されるストロークをもって保持されており、
前記コントラストプレート（５４）は、前記第１のアーム（６１）の端部を動作可能に支持するピボット（５９）が設けられている、請求項９の装置。
【請求項１１】
前記コントラストプレート（５４）にはねじ突出部（５４ａ）が設けられ、
ねじ（５８）のステムは、前記ねじの頭部が前記ベースプレート（５１）の部屋（５１ｃ）に収容されるようにねじ込まれ、
前記ねじ（５８）を回転することにより、前記コントラストプレート（５４）は前記ガイド（５１ａ，５１ｂ）に沿って並進移動されて、前記ピボット（５９）と前記揺動部材（６０）のアーム（６１）の端部が横方向に移動し、
これにより、前記装置（１）が取り付けられる際に、また、
前記家具（Ｍ）の前記引き込み部屋（Ｂ）への引き込み中に、さらに、前記家具（Ｍ）の有効内部空間（Ｖ）を閉じる際に、前記扉（Ａ）と前記垂直材（１０）が垂直方向に向くように、調整される、請求項１０の装置。
【請求項１２】
前記一対の揺動部材（６０）は、対応する数の前記中間キャリッジ（５０）によって前記垂直材（１０）に連結されており、
前記揺動部材（６０）はそれぞれ、前記中間キャリッジ（５０）を介して前記垂直材（１０）に対して垂直に移動する前記第１のアーム（６１）と前記第１のアーム（６１）に直交するように剛結されると共にピボット（６４）が設けられた前記第２のアーム（６２）によって構成されており、
前記揺動部材（６０）の前記第１と第２のアーム（６１，６２）はディスク（６３）に安定して連結され、
前記ディスク（６３）は、前記ピボット（６４）に対して同軸であり、前記スライド扉の開閉動作を減衰するように設計されている、請求項１１の装置。
【請求項１３】
前記両揺動部材（６０）の前記ピボット（６４）は、前記引き込み部屋（Ｂ）内で前記ガイド（２０，２５）を支持する家具の同一面に安定して連結されており、これにより、
前記揺動部材（６０）は往復動作する、請求項１２の装置。
【請求項１４】
前記２つの揺動部材（６０）の前記第２のアーム（６２）は前記分配バー（６６）によって互いに回転可能に連結されており、
これにより、前記引き込み部屋（Ｂ）内で前記ガイド（２０，２５）に沿って前記垂直材（１０）及び前記扉（Ａ）が移動すると同期して動作するようにしてある、請求項１３の装置。
【請求項１５】
前記装置は、前記扉（Ａ）を引き込む部屋（Ｂ）の内面の一方又は他方に、また、減衰システムのボックス（７２）に、前記ガイド（２０，２５）の表面又は前記揺動部材（６０）のピボット（６４）に接続できる、請求項１４の装置。
【請求項１６】
カム（７１）は、前記２つの揺動部材（６０）の少なくとも一方のディスク（６３）の内側に設けられ、前記第１と第２のアーム（６１，６２）に対して方向付けられており、
前記ディスク（６３）は前記ボックス（７２）の隆起部を中心に回転するようにしてあり、
前記ボックスの基部は、前記ガイド（２０，２５）を支持するとともにプローブローラ（７５）を設けたアーム（７４）の支点となるピボット（７３）を支持する面に固定されており、
前記プローブ（７５）は、前記扉（Ａ）を引き込み部屋（Ｂ）に容易に入れたり出したりできるように、弾性手段（７６）によって前記カム（７１）のエッジに接触して配置されており、
ダンパが、前記部屋（Ｂ）内の初期位置又は最終位置の近傍で、前記扉（Ａ）の速度を制限する、請求項１５の装置。
【発明の詳細な説明】
【技術分野】
【０００１】
本発明は、家具内に内側空間を形成する側壁とそれに隣接する扉との間に少なくとも適用され、該内部空間を開放する際に横方向に引く形式の扉を利用した新たな装置に関する。
【０００２】
本発明の主たる特徴は、家具の一部を横方向に引くことができるようにするために、扉の側部に沿ってヒンジ垂直材を設けることである。垂直材は、家具の内部空間の肩部の外面に沿って、スライドできる。垂直材にはまた長手方向のガイドが設けられる。ガイドは、肩部と一体化され、一対の揺動部材の２つの端部の一方の垂直移動するようにしてある。各揺動部材は、それぞれのピボットを中心に動作することができる。また、揺動部材は、内部空間の同一肩部に一体的にヒンジされており、合流して互いに一体化する一対のアームによって形成されている。垂直材と係合しないそのようなアームは、荷重分配バーによって他の揺動部材の対応するアームに接続される。分配バーは、引き込み部屋内でスライドする際にバランスを失っても、扉の重量を垂直材に均一に伝達するように構成されている。
【発明の背景】
【０００３】
通常のスィング（揺動）式扉に比べて、引き戸式扉は、占有空間をできるだけ小さくできるという利点がある。特に、扉を開閉するにあたって、スィング式扉はそれらのヒンジを中心に回転する。そのため、扉の動きが大きく、有効に利用できない面に及ぶ。この状況は、壁に対する扉の開閉及び位置決め、また、扉又は家具の扉揺動部の開閉及び位置決めに悪い影響を及ぼすとともに、特にアパート、事務室、小さな囲まれた空間などの空間に問題を生じる。
【０００４】
一般に、特に石造建築用の引き込み式扉は上端に一対のローラ付きブラケットが設けてある。該ローラはガイドに沿ってスライドする。ブラケットは壁に設けられた隠れ部屋に沿って引き込み扉を押し込む側に伸びている。従来の詳細で完全な構造が、例えば、欧州特許第０４１７０００号に開示されている。
【０００５】
家具の特定部分で、スライド扉ウィング部の引き込みは隣接する可視扉ウィングの背後の構成に完全に又は部分的に通常対応する。両ウィングには、それぞれの支持と移動のためのガイド又はトラックが設けられ、家具は一般にブランド式固定前壁を備えておらず、その背後に、開放される部屋のウィングが押し込まれて隠される。
【０００６】
いずれの場合でも、再び家具部分に、幾つかの解決策が提案されており、それは、家具の側壁に平行な位置までスライド扉ウィングを動かして開放するものである。この種の第１の公知の解決策の一つは仏国特許第２.６９０．１９５によって構成される。この特許の開示によれば、家具のスライド扉は２つの垂直部材に設けられ、それらは共に２つの前ガイドと家具の上部及び下部に係合され、中間肩部に回転可能に設けられる。肩部はガイドに連結されておらず、内部空間を開放する間、一方の縁に沿って肩部に向けて回転して閉じることができ、それにより、家具の有効内部空間の横にある部屋に案内されて収容される。
【０００７】
この解決策は、確かに、家具の内部空間を開放しなければならない場合、また、家具を開放しておく場合、扉の占有スペースを減少するという課題を解消し、扉の開放中や閉鎖中の占有スペースを最小にする。しかし、家具の前部と上下ガイドに重量が作用するため、また、扉が直角に回転するように装置が精巧に作られているため、引き込み部屋に入れたり出したりするにあたって、常時垂直安定状態で扉を支持することは難しい。そのため、この解決策を使用するのは制約がある。
【０００８】
別の公知の解決策は、ドイツ特許第１９９０２９１８号によって構成される。この解決策によれば、スライド扉ウィングは垂直材に横方向から連結されて回転するようになっており、これにより家具の側部で移動できる。垂直材は、パンタグラフのような構造に配置されたバーの端部で支持されている。該構造では、一端が垂直材及び家具底部のガイドに沿ってスライドでき、引き込み扉を収容する一つの部屋に収容される。
【０００９】
この解決策は、家具扉の占有スペースの問題の解決に構成するものであるが、適用が限られる。その主な理由は、扉を引き込んだ状態にあっても、支持用パンタグラフを収容するために相当広い部屋が必要で、その結果、小さな穴を有する扉を提供できる又は一方の縁に沿って互いにヒンジされた二重ウィング扉を提供できる必要がある、からである。 
この２番目の場合、外観が劣るだけでなく、横木に作用する大きな片持ち荷重が作用し、そのために支持ガイドが短時間で損傷する。しかし、この解決策の最大の欠点は、横木が閉鎖位置にあって扉が引き込まれた状態にあるとき、その支持能力が最小になり、そのために、家具を閉じるときに扉のバランスが保てずずれることである。
【００１０】
ＷＯ２００７/１４８３６６に最近の解決策が開示されている。この解決策では、家具のスライド扉が第１の扉ウィングを有する扉で構成されている。第１の扉ウィングは第２の扉ウィングに接合されている。第２の扉ウィングは、引き込み部屋内でスライドできるように設けられている。この解決策の特徴は、第１の扉ウィングは、上下縁に配置されたガイド部材によって案内され、前縁と引き込み部屋の内側に平行に横たわる上下ガイド上をスライドできること、また、支持要素が扉を閉じる際に捩られ、引き込み部屋で折り畳まれた状態まで扉ウィングを引き込むために十分な力を支持要素に伝えることができることにある。
【００１１】
この解決策は、上述の仏国特許第２６９０１９５の動作状態を改善するものであるが、３つの部材に設けられた扉の存在によって制約され、外観が低下する。また、この解決策は、著しく構造が複雑で、そのために、この主の家具のキャビネットや部品の製造及びメンテナンスに著しい時間と費用がかかる。
【００１２】
以上の解決策及びその他の類似の公知の解決策は、横方向の部屋に扉ウィングを入れたり又そこから出したりする際に、ストロークの端部を減衰させるものでなく、また、家具の垂直材を覆わないウィングの閉鎖状態を提供するものでなく、有効内部空間の利用に悪影響を及ぼすものである。
【００１３】
本発明の目的は、２つ以上の同じウィング部材をヒンジ又は折り畳む必要なく、横方向に引く扉に（大きくて重い扉でも、また、単一のパネルでも）適用できる装置を提供することにある。
【００１４】
この目的を達成するため、本発明は、容易にバランスを保つことができ、極めて軽量で、動作が静かで、長期の使用に耐える、扉又は扉ウィングを横方向に引き込む適用のための装置を提供することである。
【００１５】
本発明の別の課題は、開閉動作を減衰できる、扉又は扉ウィングを横方向に引き出す適用のための装置を提供し、最高の動作状態を確立するとともに家具の耐久性を向上することである。
【００１６】
本発明の別の課題は、家具の横方向縁又は垂直材を覆うことができる、扉又は扉ウィングを横方向に引き出す適用のための装置を提供し、有効内部空間を確保し、外観の優れた家具を提供することである。
【００１７】
以上の目的及びその他の目的は、横方向に引き出す家具の扉に沿って垂直材を回動可能に介在し、前記垂直材がスライドすると共に往復動作するように構成された一対の揺動部材に連結された請求項１の発明によって達成できる。
【００１８】
本発明に係る装置及び本発明の目的が達成されることは、単に例示的で非限定的な実施例及び図面を参照した以下の説明に記載されている。
【図面の簡単な説明】
【００１９】
【図１】図１は、本発明に係る、横方向に引く扉を家具又は衣装部屋等に適用するための装置を構成する主要部の構成の斜視図である。
【００２０】
【図２】図２は、図１に示す装置と同じ装置を反対側から見た斜視図である。
【００２１】
【図３ａ】図３ａは、作図上の理由から下向き姿勢で示す垂直材とその構造の斜視図で、扉のヒンジ支持部を図１，２の装置に適用するために関連付けられている。
【００２２】
【図３ｂ】図３ｂは、図３ａの詳細を示す拡大部分斜視図である。
【００２３】
【図３ｃ】図３ｃは、図３ｂの詳細を示す拡大部分斜視図である。
【００２４】
【図４】図４は、図１，２の装置の上部を構成する部材の部分拡大詳細斜視図である。
【００２５】
【図５】図５は、図１，２の装置の下部を構成する部材の部分拡大詳細斜視図である。
【００２６】
【図６】図６は、図１，２の装置の中央部を構成する部材の部分拡大詳細斜視図である。
【００２７】
【図７】図７は、図３の構造にヒンジを固定する部分拡大詳細斜視図である。
【００２８】
【図８】図８は、図１，２の装置の正面図である。ここで、装置は、家具及び関連する扉の縁に取り付けられている。扉は、家具の有効内部空間に隣接して、収容室内に完全に収容された状態にある。装置と扉は、図９のVIII-VIII線に沿って示してある。
【００２９】
【図９】図９は、図８のIX-IX線に沿った、家具と、引き込み式の扉と、そのスライド装置の平面図である。
【００３０】
【図１０】図１０は、図１１のX-X線に沿った図１，２の装置の正面図である。ここで、装置は、図８の家具の同じ側面に配置されており、家具は引き込み部屋から完全に引き出された扉と共に示してある。
【００３１】
【図１１】図１１は、XI-XI線に沿った、図１０の家具と装置の平面図である。
【００３２】
【図１２】図１２は、図１１の家具及び装置の拡大平面図である。ここで、扉は引き込み部屋から引き出されており、家具の内部空間に閉じるように多少回転している状態を示す。
【００３３】
【図１３】図１３は、有効内部空間を扉が完全に閉じた状態の、図１２の家具及び装置の平面図である。
【００３４】
【図１４】図１４は、図１０の家具と装置の部分拡大立面図で、扉のスライド動作を減衰するためのシステムを設けることを示すとともに、引き込み部屋から扉を引き出し最終段階又は引き込み部屋に扉を入れる初期段階における減衰状態を示している。
【００３５】
【図１５】図１５は、引き込み部屋に扉を収容する中間段階を示す、減衰システムが最大動作状態にある図１４の家具と装置の部分拡大正面図である。
【００３６】
【図１６】図１６は、引き込み部屋に扉を完全に収容した状態を示す、減衰システムが最終動作状態にある図１４の家具と装置の部分拡大正面図である。
【発明の実施形態】
【００３７】
すべての図面において、同一の構成は同一の参照符号で示されている。
【００３８】
図１，２，３ａ，３ｂを参照すると、検討する装置１は、一つのプロフィールによって構成された垂直材１０からなる。垂直材１０において、上端部１０ａと下端部１０ｂはそれぞれ、ガイド（案内部）２０，２５に沿ってスライドできる。ガイド２０，２５は、引き込み式扉Ａが設けられる内部空間Ｖの側部の外表面上で水平方向に固定されている。引き込み式扉Ａと装置１は、引き込み部屋Ｂに収容できる。引き込み部屋Ｂは、家具Ｍの一部の有効内部空間Ｖに隣接しており、家具の外壁、天井、床によって構成されている。
【００３９】
さらに詳細に説明すると、垂直材又はプロフィール１０は、外側に長手方向溝１１を有する。該長手方向の溝は長手方向キャビティを有し、該キャビティは半円形の断面１２を有する。垂直材１０はまた、内側の長手方向溝１２ａと、Ｔ形状の横肩部１３を有する。プロフィール１０には、中間の部屋１２ｂを形成する、壁又は長手方向のリブ１４が設けてある。該中間の部屋１２ｂは、長手方向の溝１２ａの存在によって、半円形キャビティ１２に向けて開放されている。
【００４０】
垂直材１０の肩部１３は、プロフィール１５の内側部屋１５ａに収まるように設計されている。プロフィール１５は、垂直材１０の長さよりも僅かに短い長さを有し、２つのＣ形を重ねた形状をしており、部屋１５ａの反対側に配置されて一連のヒンジ９０の基部を収容するように設計された部屋１５ｂを有する（後に詳細に説明する）。
【００４１】
プロフィール１５の部屋１５ａは、長手方向にスライドさせながら垂直材１０の肩部１３を収容するように設計されており、公知のいずれかの方法（例えば、図３の固定シート１６を用いる方法）によって軸方向と横断方向に調整及び固定できるようにしてある。
【００４２】
上述のように、垂直材１０は、上部キャリッジ３０と下部キャリッジ４０を介して、ガイド２０，２５に沿ってスライドできる。これらキャリッジは、垂直材の端部１０ａ，１０ｂにそれぞれ固定されている。
【００４３】
図４を参照すると、上部キャリッジ３０はプレート３１で構成されている。プレート３１は、一対の自由プーリ３２，３３を支持するもので、ステム３１ａを備えている。ステム３１ａはベースプレート３１ｂを有する。一対のねじ３４がベースプレート３１ｂを貫通し、少なくとも一つのコントラストプレート３５のねじ部にねじ込まれるようにしてある。コントラストプレート３５は、垂直材１０の端部１０ａの部屋１２ｂに収容される。また、コントラストプレート３５は、垂直材１０の溝１２ｂに案内されるように構成された肩部３５ｂが設けてある。したがって、ねじ３４をねじ込むと、キャリッジ３０が垂直材１０の端部１０ａの正しい位置に固定される。この位置は、コントラストプレート３５の肩部によって決まる。
【００４４】
キャリッジ３０は、レール２１に沿ってプーリ３２，３３の溝部を収容して、ガイド２０に取り付けられる。これにより、キャリッジは、上部ガイド２０の部屋２２に沿ってスライドでき、垂直に伸びる上部エッジ２３の存在によってキャリッジの横方向の脱落が防止される。
【００４５】
最後に、上部ガイド２０は下部の部屋２４を有する。部屋２４にはストローク制限ブロック３６が通過する。ブロック３６はアバットメント（被当接部）３７に当接するように構成されている。これにより、キャリッジ３０、垂直材１０、及び引き込み部屋Ｂの前部の扉Ａの停止位置が定まる。
【００４６】
上端１０ａ及び下端１０ｂの近傍（好ましくは、キャリッジ３０，４０の近く）には、扉Ａが部屋Ｂに引き込まれるのを防止するために、一対の装置８０が垂直材１０に設けてある。装置８０は、扉Ａによって動作する。具体的には、扉Ａが弾性アーム８１の円形ゴムパッド８３に作用する。パッド８３は、ローラ８２を設けたアームの反対側端部にある。揺動して空間Ｖを閉じるように扉Ａが回転する間、ローラ８２は家具Ｍの一部にある肩部の表面に設けた部屋に横から押し込まれる。これにより、垂直材１０が引き込み部屋Ｂに引き込まれるのを防止する。部屋Ｂに扉Ａを収容する最初の段階では、ローラ８２がその着座位置から出るまで、ゴムパッド８３が扉Ａの表面に沿ってスライドし、アーム８１が回転する。また、公知の方法で図５に示すように、部屋Ｂ内で扉Ａが解放される。
【００４７】
再び図５を参照すると、下部キャリッジ４０は、一対の自由ローラ４２，４３を支持するプレート４１を有する。プレート４１は垂直ステム４１ａを有する。ステム４１ａは、垂直材１０の部屋１２ｂに配置され、少なくとも１つのねじ４４によって外側コントラストプレート４５に連結されている。プレート４５は、キャリッジ４０を垂直材１０の端部１０ｂに正しく固定するために、垂直材１０の部屋１２ｂに収容されている。
【００４８】
下部キャリッジ４０は、下部ガイド２５に取り付けられる。このとき、ローラ４２，４３がガイドシート２７に沿って収容される。これにより、キャリッジが引き込み部屋Ｂ内を移動する。
【００４９】
最後に、下部ガイド２５には、規制ブロック４６の通過する上部部屋２８が設けてある。ブロック４６は被当接部３７に当接し、キャリッジ４０、垂直材１０，及び扉Ａの停止位置を、引き込み部屋Ｂの後端に定める。上述のように、扉Ａが部屋Ｂに戻るのを防止するために、下端１０ｂの近傍に装置８０が設けてある。
【００５０】
当然、垂直材１０の端部１０ａ，１０ｂにキャリッジ３０，４０を配置して固定することで、引き込み部屋Ｂ内での扉の動きやそこに扉を配置する際に、それぞれのガイド２０〜２５に沿ってキャリッジ３０，４０のストローク内で平行に配置することができる。
【００５１】
図１〜図６を参照すると、垂直材１０の半円筒キャビティ１２は、２つのキャリッジ５０の一対の環状自由ホイール５２，５３を収容するように設計されている。これら自由ホイールは、上部キャリッジ３０及び／又は下部キャリッジ４０を取り付けて固定する前に、垂直材１０の中間部でキャビティ１２に収容される。中間キャリッジ５０は、以下で説明する一対の揺動部材６０の端部又はアーム６１を用いて、垂直材１０（すなわち、それにヒンジされた扉Ａ）の動的な連結を確保するためのものである。
【００５２】
特に、図６を参照すると、中間キャリッジ５０は、実質的に、プレート５１で構成されている。プレート５１は、ピボットによって、一対の自由ホイール５２，５３を支持するように構成されている。ホイール５２，５３は、垂直材１０の半円筒キャビティ１２に収容される。コントラストプレート５４がキャビティ１２に案内され、一対の横方向ガイド５１ａ，５１ｂで保持される。ガイド５１ａ，５１ｂは、例えば４つのねじ５６によって、ベースプレート５１に連結される。ピボット５９は、コントラストプレート５４に一体的に設けられ、ベアリング又はブッシングの介在によって、揺動部材６０のアーム６１の端部をヒンジする。
【００５３】
コントラストプレート５４には、ナット又はねじ付き突起５４ａが設けられる。ナット又はねじ付き突起には、ねじ５８のステムがねじ込まれる。ねじの頭部は、ベースプレート５１の部屋５１ｃに収容される。
【００５４】
ねじ５８を回転すると、コントラストプレート５４はガイド５１ａ，５１ｂに沿って移動し、結果、揺動部材６０のピボット５９とアーム６１の端部が横方向に移動する。部屋Ｂに引き込む際、また、家具Ｍの一部の内部空間Ｖ上に揺動して閉じる際に、キャリッジ５０の少なくとも１つのねじ５８を動作することで、扉Ａと垂直材１０が垂直方向に調整されて安定して固定される。コントラストプレート５４の最大及び最小ストローク長は、図示しない歯止め（爪）によって制限される。歯止めは、プレート５１に一体化され、コントラストプレート５４のスロット（５５）内でスライドできる。
【００５５】
特に図１，２を参照すると、一対の揺動部材６０が、対応する数のキャリッジ５０によって垂直材１０に連結されている。各揺動部材６０は、キャリッジ５０を介して垂直材１０に連結されて垂直方向に移動するアーム６１と、他方のアーム６１に例えば垂直に剛結された第２のアーム６２によって構成されている。第２のアーム６２は、振動ピボット６４が設けてある。
【００５６】
図８、１０，１４〜１６に示す形態の実施例によれば、各揺動部材６０のアーム６１，６２は、ディスク６３に溶接又は適当な方法で安定的に連結される。ディスク６３は、ピボット６４と同軸に設けられ、後述するように、スライド扉の開閉動作を減衰させる装置を設けることができるように設計されている。
【００５７】
いずれの場合でも、添付の図面に示す実施形態によれば、両揺動部材６０のピボット６４は、引き込み部屋Ｂ内でガイド２０〜２５を支持する家具の一部の肩部の外面に安定して連結される。その結果、例えばブッシング又はベアリングが介在して、揺動部材６０が振動する。
【００５８】
２つの揺動部材６０のアーム６２は、分配バー６６によって回転可能に連結される。これにより、引き込み部屋Ｂ内での垂直材１０の移動及びそれを押したり引いたりする動作に応じて、また、ガイド２０と２５に沿った扉Ａのそれらの動作に応じて、アーム６２は同期して振動する。
【００５９】
上述のように、スライド扉又はウィングＡは、図３に示すように、Ｃの文字を重ねた形状のプロフィール１５の一部を介して、垂直材１０に連結されてヒンジされる。適当な調整とロッキング１６により、プロフィール１５の内側部屋１５ａは、垂直材１０のプロフィール１３の横材を収容する。
【００６０】
特に図７を参照すると、プロフィール１５の一部の外側部屋１５ｂは、複数のヒンジ９０のベース９１を収容するように設計されている。各ヒンジ９０は、少なくとも１つのねじ９３によって少なくとも１つのブロック９２をロックして、垂直材１０に一体化されたプロフィール１５の外面に対して、プロフィール１５の選択された垂直位置に固定される。
【００６１】
特に図８〜１３を参照して、家具Ｍの一部の部屋Ｂに設けられた上述した装置の主要部及び家具の一部の肩部とスライド扉又はウィングＡの縁の間に配置された構成に基づいて、特定の目的に沿ったそれらの動作を以下に説明する。
【００６２】
図８，９を参照すると、家具Ｍの一部の内部空間Ｖを閉鎖する扉Ａが、家具Ｍの一部の部屋Ｂ内に完全に引き込んだ状態で示してある。この状態で、内部空間Ｖは完全に解放してアクセス可能である。扉は、装置によってこの状態に案内されて保持される。
【００６３】
引き込んだ状態で、垂直材１０は部屋Ｂの後端に収容され、端部のキャリッジ３０，４０によって垂直に支持されている。垂直材１０は、ガイド２０，２５に沿ってスライドし、複数のヒンジ９０によって扉を支持している。２つの揺動部材６０の２つのアーム６１が存在することによって、部屋Ｂ内に完全に引き込んだ状態で扉Ａは安定して保持される。アーム６１は、キャリッジ５０によって、垂直材１０に沿って移動する。このとき、バー６６で連結された第２のアーム６２は揺動部材６０の動きに同期し、移動中及び位置決めされた状態で常時垂直材１０及び扉Ａの垂直度を維持する。
【００６４】
図１０，１１は、上述のように、例えば凹状ハンドルを手動で操作することによって、家具Ｍの一部の部屋Ｂから扉Ａを最大に引き出した状態を示す。扉Ａを引き出すと、同時に垂直材１０が引き出される。ガイド２０，２５に沿ってスライドすると、垂直材１０が２つの揺動部材６０のアーム６１に係合して該アーム６１をピボット６４を中心に回転する。実際、揺動部材６０は、ガイド２０，２５を支持する壁と同じ壁に一体的に固定されたピボット６４を有するので、垂直材１０が移動することにより２つの揺動部材６０のアーム６１が回転する。その回転は、アーム６１と垂直材１０の間にキャリッジ５０を設けたことで容易に行われる。キャリッジ５０により、アーム６１は垂直材１０と共に振動することができる。
【００６５】
アーム６１が回転すると、当然に、２つの揺動部材６０の直交アーム６２も回転する。この回転は、アーム６２に回転自在に設けた分配バー６６が存在することにより、必然的に同期される。
【００６６】
装置１にバー６２が存在しない場合、扉Ａが引かれている最中に偶発的に問題が生じた場合又は不規則に扉が引かれた場合、２つのアーム６１は同期せずに非平行に回転する。その結果、垂直材１０からのそれぞれの距離又は中心位置が変化し、扉Ａが傾いた状態で引かれて家具Ｍに対する垂直性が失われる。
【００６７】
分配バー６６の機能は、扉Ａを片持ち状態で支える力だけでなく、部屋Ｂの中を移動する扉Ａを引いたり押したりする不規則な動作を垂直材１０に分散させることによって、扉Ａ及び垂直材１０のバランスを保つことである。
【００６８】
今までに例示して実施形態において、扉Ａに横方向の肩部を設けた装置１によれば、その他の形態に比べて、内部空間Ｖの広さをより効率的に利用できる。これらの構造的及び機能的特徴により、１つのパネルとして提供される大きく又重い引き戸（扉Ａ）の家具Ｍに装置１を提供できる。その場合、扉を折り畳む必要がない。また、簡単で安全な構成をもって、本発明の目的に基づいて、扉は引き戸用の部屋Ｂに収容される。
【００６９】
引き戸用部屋Ｂの中で扉Ａを支持してその動作を安定させるために一対の揺動部材６０は垂直材１０を協働する。したがって、そのような揺動部材６０が存在することで、そのような移動は極めて軽く且つ静かである。
【００７０】
図１２，１３を参照すると、そのような構成を採用したことにより、扉Ａを部屋Ｂから完全に引き出すと、垂直材１０のキャリッジ３０，４０は、戻り防止装置８０として機能するガイド２０，２５の外側規制部でロックされる。
【００７１】
垂直材１０が引き出し部屋Ｂの縁に配置されてヒンジ９０のベース９１が垂直材１０のプロフィール１５に一体的に固定されていることにより、ヒンジ９０において移動可能な２つの対をなすレバー９５，９６（すなわち、それらの固定ベース９７）が引き出し部屋Ｂの縁から突出し、そのために、図１３の完全に閉じた状態に至るまでの図１２の任意の中間位置まで、扉Ａが回転する。
【００７２】
図１２，１３において、家具Ｍに設けた複数のヒンジ９０は二重レバー形式のものである。この場合、扉Ａが完全に閉じると、扉Ａは家具Ｍの横方向垂直部の肩部に重なる。その結果、扉は視覚的に見えなくなり、美的及び視覚的な効果が著しく向上する。また、家具Ｍ用空間を最大限有効に利用できる。
【００７３】
横方向の引き戸に本発明の装置を適用した第１の形態によれば、内部空間Ｖの壁の外面に設ける代わりに、装置は部屋Ｂの外壁内面に設け、上述の緩衝システムのボックス７２（以下に詳述する。）に加えて、前記面上にガイド２０、２５と揺動部材６０のピボット６４を配置することができる。
【００７４】
図１４、１５，１６を参照すると、上述のように、部屋Ｂ内で扉Ａ及びその垂直材１０の動きを緩衝するためのシステム７０の好適な実施例を仮想線で示した部分正面図が示してある。
【００７５】
図１，２を参照して更に詳細に説明すると、少なくとも１つの揺動部材６０のディスク６３の内側には、揺動部材６０のアーム６１，６２の位置に都合良く向けられたカム７１の面が設けてある。
【００７６】
ディスク又はカバー６３は、家具Ｍの有効内部空間の同一外面に固定されており、ボックス７２の隆起端の周りを回転するようにしてある。また、ガイド２０，２５が固定されており、その底部に各揺動部材６０の回転用ピボット６４が固定されている。
【００７７】
ピボット７３はボックス７２の底部にしっかりと固定されている。アーム７４の端部が軸支されている。該アーム７４にはプローブローラ７５が設けてある。反対側の端部は、一つ又は複数の弾性手段７６の端部に連結されている。弾性手段の反対側端部はボックス７２の底部に一体化されている。弾性手段７６を引く力により、プローブ７５は揺動部材６０のカバー６３のカム７１に接触して配置される。
【００７８】
ボックス７２のベースには、複数のダンパー又は油圧制御式ブレーキ装置７７が設けられる。該ブレーキ装置は、適当な把持位置に設けられた円形ラック７８の複数の部分に対して動作する。
【００７９】
図１４において、垂直材１０は部屋Ｂの端部に配置されており、ディスク又はカバー６３のカム７１は最大偏心部７１ａの表面を有する。最大偏心部は、弾性手段７６を有するプローブ７５の接点上流側に配置されている。弾性手段は、部屋Ｂに扉Ａが入ると、それに反応する。ダンパー７７がラック７８の係合していることは、それらは一方向に回転するために、無関係である。
【００８０】
図１５において、カム７１の最大偏心部７１ａの表面は、プローブ７５と軸方向に整列し、部屋Ｂ内に扉Ａを手動で押し込む工程と、ダンパー７７とラック７８の接触の影響無しで弾性手段が反応して扉Ａを部屋Ｂの中に入れる後の工程との間の死点を構成する。
【００８１】
図１６において、最大偏心部７１ａは、プローブ７５から離れて位置しており、部屋Ｂ内で垂直材１０の当接部がストローク制限当接部３８に案内されるまで、ラック７８’に対するダンパー７７’の動作によって弾性手段７６の押圧動作にブレーキがかかる。
【００８２】
図１６の位置から始めて部屋Ｂから扉Ａを引き出すために、弾性手段７６に徐々に力を加えると、プローブ７５がカム７１の最大偏心部７１ａに接触して扉Ａが手動で引き出される。図１５の同じ死点に達するまで、ラック７８’に対するダンパー７７’の動作は無関係である。
【００８３】
死点を超えると、弾性手段７６は蓄積した力を戻し、扉Ａを部屋Ｂの出口に向けて押圧する。出口の最終箇所で、ラック７８に対するダンパー７７の動作によって弾性手段７６のスラスト力が弱まる。
【００８４】
図１４，１５，１６は、装置１は、扉が容易に且つ安全に、そして徐々に引かれるように、部屋Ｂに対する扉の出入りの課程で緩衝装置を適用してもよいことを示している。
【００８５】
当然、上述した装置の構成は種々の使用条件に応じて変更できる。例えば、板又は薄い積層部材によって部屋Ｂの２つの壁を上部領域で連結してもよい。これにより、埃に対する適当な保護を補償するとともに家具Ｍの全体を頑丈にした場合でも、部屋Ｂの適当な高さを有し、内部空間Ｖの上縁を覆う扉を有することができる。
【００８６】
カム７１と減衰ボックス７２を２つの揺動部材６０の一方にのみ適用してもよい。同様に、ダンパー７７とリングギヤ７８の存在を無くしてもよいし、そのたの従来のブレーキシステムに置き代えてもよい。
【００８７】
揺動部材６０のアーム６１，６２の間の角度は別の角度であってもよい。同様に、一対の可動レバー９５，９６が設けられた従来の他の形式のヒンジ１９が固定される他の形式の構造１５の垂直材１０の肩部１３に適用してもよい。
【００８８】
以上の説明より、装置１は、適当な幅を有する部屋に収容され、相互に連結されてヒンジで折り畳まれる２つ又はそれ以上のウィング部からなる扉Ａにも適用できることが明らかである。同様に、２つの相互に反対側に引かれる扉又は一つの家具の肩部にも適用できる。
【００８９】
上述の変更及び改変は、保護が求められている新規な発明の範囲に属する。
【００９０】
本願請求項に係る発明が優先権を主張するイタリア特許出願番号ＢＬ２０１０Ａ００００２０の開示内容は参照することにより本願に組み込まれる。
【００９１】
特許請求の範囲に記載の技術的特徴は引用符号が付されているが、それらの引用符号は発明の理解を図るために含まれるものだって、そのような符号は例えば該符号によって特定される各要素の解釈に限定的に作用するものでない。
【図１】
0006006728.tif 000002
【図２】
0006006728.tif 000003
【図３ａ】
0006006728.tif 000004
【図３ｂ】
0006006728.tif 000005
【図３ｃ】
0006006728.tif 000006
【図４】
0006006728.tif 000007
【図５】
0006006728.tif 000008
【図６】
0006006728.tif 000009
【図７】
0006006728.tif 000010
【図８】
0006006728.tif 000011
【図９】
0006006728.tif 000012
【図１０】
0006006728.tif 000013
【図１１】
0006006728.tif 000014
【図１２】
0006006728.tif 000015
【図１３】
0006006728.tif 000016
【図１４】
0006006728.tif 000017
【図１５】
0006006728.tif 000018
【図１６】
0006006728.tif 000019